(57)【要約】  【課題】肛門部分を容易に通過させることができると共に、直腸内で前立腺を効果的にマッサージすることの可能な前立腺マッサージ器具を提供する。  【解決手段】前立腺マッサージ器具１は、肛門Ｂから直腸Ａ内に挿入されて使用される前立腺マッサージ器具１において、長尺の帯板を折り曲げた構造であって、帯板の帯板先端３８が根元側に戻る方向に100°以上折り曲がり、往路部１０と、復路部２０と、を備える。また、往路部１０は、器具根元端３６から所定の長さ離れた位置に、帯板が外側に膨らんだ第一凸部１１を備える。また、器具根元端３６において前立腺マッサージ器具１の幅方向に延在する誤進入防止部３０をさらに備える。【選択図】図１
2020054498.tif 000002
【特許請求の範囲】
【請求項１】
肛門から直腸内に挿入されて使用される前立腺マッサージ器具において、
長尺の帯板を折り曲げた構造であって、前記帯板の帯板先端が根元側に戻る方向に100°以上折り曲がり、往路部と、復路部と、を備えることを特徴とする前立腺マッサージ器具。
【請求項２】
前記往路部は、器具根元端から所定の長さ離れた位置に、前記帯板が外側に膨らんだ第一凸部を備えることを特徴とする請求項１記載の前立腺マッサージ器具。
【請求項３】
器具根元端において前記前立腺マッサージ器具の幅方向に延在する誤進入防止部をさらに備えることを特徴とする請求項１又は２記載の前立腺マッサージ器具。
【請求項４】
前記前立腺マッサージ器具の幅方向における前記往路部と前記復路部との距離は、最も離れた場所で2cm以上であることを特徴とする請求項１乃至３何れか１項記載の前立腺マッサージ器具。
【請求項５】
前記復路部の帯板先端が前記往路部から2cm以上離れ、前記往路部と前記復路部で囲まれた空間が開口していることを特徴とする請求項１乃至４何れか１項記載の前立腺マッサージ器具。
【発明の詳細な説明】
【技術分野】
【０００１】
本発明は、前立腺マッサージ器具に関する。
【背景技術】
【０００２】
医療用途等のために直腸内に挿入して前立腺を刺激するための前立腺マッサージ器具が従来から提供されており、例えば、下記特許文献１〜３に開示されている。これら特許文献１〜３に開示された前立腺マッサージ器具の直腸内に挿入される部分は、円筒形状である。
【先行技術文献】
【特許文献】
【０００３】
【特許文献１】特開２００２−１６５８５７号公報
【特許文献２】特表２００４−５０９７１３号公報
【特許文献３】特開２０１０−１６２２６９号公報
【発明の概要】
【発明が解決しようとする課題】
【０００４】
ここで、直腸の出入口である肛門の周囲には略円筒形の肛門括約筋が位置しており、その内径の制約から、直腸内に挿入できる物体の太さは制限を受ける。一方、直腸内部は、肛門よりも広く大径であるため、前立腺マッサージ器具の直腸内に挿入される部分は、ある程度の太さがなければ前立腺に効果的に接触するのが難しい。
【０００５】
したがって、円筒形の前立腺マッサージ器具の場合、直腸内で効果的に前立腺に接触させるためには、円筒部の外径を大きくする必要があるが、円筒部を太くすると、肛門部分を通過させるのが困難になってしまう。反対に、円筒部を細くすると、肛門部分を通過させやすくなるが、直腸内で前立腺に効果的に接触させることができない。
【０００６】
本発明は、このような課題に鑑みてなされたものであり、肛門部分を容易に通過させることができると共に、直腸内で前立腺を効果的にマッサージすることの可能な前立腺マッサージ器具を提供することを目的とする。
【課題を解決するための手段】
【０００７】
上記課題を解決するための本発明に係る前立腺マッサージ器具は、肛門から直腸内に挿入されて使用される前立腺マッサージ器具において、長尺の帯板を折り曲げた構造であって、前記帯板の帯板先端が根元側に戻る方向に100°以上折り曲がり、往路部と、復路部と、を備えることを特徴とする。
【発明の効果】
【０００８】
本発明に係る前立腺マッサージ器具によれば、長尺の帯板を折り曲げた構造であるため、直腸内への挿入時に容易に肛門部分を通過させることができると共に、往路部と復路部とが直腸を広げる方向に直腸内壁に接触することで帯板が前立腺に効果的に接触することができる。
【図面の簡単な説明】
【０００９】
【図１】図１は、本発明の第一実施形態に係る前立腺マッサージ器具の正面図である。
【図２】図２は、本発明の第一実施形態に係る前立腺マッサージ器具の側面図である。
【図３】図３は、本発明の第一実施形態に係る前立腺マッサージ器具の挿入状態を示す図である。
【図４】図４は、本発明の第一実施形態に係る前立腺マッサージ器具の肛門通過時の状態を示す図である。
【図５】図５は、本発明の第一実施形態の変形例１に係る前立腺マッサージ器具の正面図である。
【図６】図６は、本発明の第一実施形態の変形例２に係る前立腺マッサージ器具の正面図である。
【図７】図７は、本発明の第一実施形態の変形例２に係る前立腺マッサージ器具の側面図である。
【図８】図８は、本発明の第一実施形態の変形例３に係る前立腺マッサージ器具の正面図である。
【図９】図９は、本発明の第一実施形態の変形例３に係る前立腺マッサージ器具の側面図である。
【図１０】図１０は、本発明の第二実施形態に係る前立腺マッサージ器具の正面図である。
【図１１】図１１は、本発明の第二実施形態に係る前立腺マッサージ器具の側面図である。
【図１２】図１２は、本発明の第二実施形態の変形例４に係る前立腺マッサージ器具の正面図である。
【発明を実施するための形態】
【００１０】
以下、図面を参照しながら、本発明の実施形態について説明する。本実施形態では、直腸に挿入して直腸内部から前立腺をマッサージするための前立腺マッサージ器具であって、長尺の帯板を折り曲げた構造の器具について説明する。
【００１１】
（第一実施形態）
第一実施形態に係る前立腺マッサージ器具１は、図１及び図２に示すように、帯板の一方の端部である帯板先端３８が、他方の端部である帯板根元端３９側に戻る方向に折り曲げられて構成され、往路部１０と、復路部２０と、誤進入防止部３０とを備えている。
【００１２】
なお、本実施形態では、前立腺マッサージ器具１を直腸内に挿入する際に、先に挿入されて奥に位置する側を先端とし、反対側の端部を根元端とする。よって、図１及び図２において、上方端部が器具先端３５、下方端部が器具根元端３６となる。
【００１３】
往路部１０は、器具根元端３６から器具先端３５まで長手方向に延在する帯板部分であり、復路部２０は、器具先端３５から根元端側に折り返された帯板先端３８まで延在する帯板部分である。
【００１４】
往路部１０は、器具根元端３６から先端側に所定の長さ離れた位置に、帯板が外側に膨らんだ第一凸部１１を備え、第一凸部１１からさらに先端側に所定の長さ離れた位置に、同じく帯板が外側に膨らんだ第二凸部１３を備えている。
【００１５】
器具先端３５は、第二凸部１３の所に位置する。すなわち、第二凸部１３は、往路部１０と復路部２０の境界に位置し、第二凸部１３の器具先端３５の部分から帯板先端３８側に位置する部分は、復路部２０を構成する。
【００１６】
第一凸部１１は、正面視において、略円弧状に約120°曲がっており、第二凸部１３は、同じく正面視において、略円弧状に約160°曲がっている。第一凸部１１は、幅方向の外側に向かって膨らんでおり、第二凸部１３は、長手方向の先端外側に向かって膨らんでいる。
【００１７】
誤進入防止部３０は、器具根元端３６に位置し、前立腺マッサージ器具１の幅方向に延在する帯板部分である。誤進入防止部３０は、帯板の帯板根元端３９を長手方向に対して略直角に曲げて構成されている。
【００１８】
器具根元端３６に幅方向に延在する誤進入防止部３０を設置することで、前立腺マッサージ器具１を直腸内に挿入する際に、誤進入防止部３０が直腸の出入口である肛門の括約筋に引っ掛かり、内部に侵入するのを防止できる。
【００１９】
このように、前立腺マッサージ器具１全体が直腸内に入ってしまう誤進入を防ぐことで、前立腺マッサージ器具１の一部である誤進入防止部３０が常に直腸外に露出しており、直腸内に挿入された前立腺マッサージ器具１の操作や取り出しを容易に行うことができる。
【００２０】
また、前立腺マッサージ器具１は、図２に破線で示すように、帯板根元端３９から帯板先端３８の全長にわたって延在して帯板内に埋め込まれた長尺の針金４０を備える。帯板内に略全長にわたって延在する針金４０を埋め込むことで、帯板が折れたり割れたりする等の前立腺マッサージ器具１の破損を防止することができる。
【００２１】
前立腺マッサージ器具１は、エポキシ樹脂製であり、二液性エポキシ樹脂を上記形状に成形しながら硬化させることで製造される。もちろん、前立腺マッサージ器具１の素材は、エポキシ樹脂に限定されるものではなく、その他の合成樹脂や天然樹脂、ガラス、金属等、その他の素材を用いることができる。
【００２２】
ここで、前立腺マッサージ器具１の長手方向の全長（器具根元端３６から器具先端３５までの長さ）は約12cmであり、幅方向に延在する誤進入防止部３０の長さは約2cmである。第一凸部１１は、器具根元端３６から先端方向に約7cm離れた位置に位置している
【００２３】
以上、前立腺マッサージ器具１の構成について説明したが、続いて、図３及び図４を参照しながら、前立腺マッサージ器具１の使用形態について説明する。図３に示すように、前立腺マッサージ器具１は、器具先端３５を奥にして肛門Ｂから直腸Ａ内に挿入して使用される。
【００２４】
前立腺マッサージ器具１の肛門Ｂから直腸Ａ内への挿入にあたっては、直腸Ａ内は広いが、直腸Ａの出入口である肛門Ｂの穴の周囲には内外肛門括約筋Ｃが位置し、穴が狭いため、太い挿入物を入れるのは困難である。
【００２５】
これに対して、本実施形態では、前立腺マッサージ器具１が円筒形状ではなく、長尺の帯板を二次元に連続して折り曲げた往路部１０と復路部２０とからなる構造であるため、挿入方向回りの全方位に太い円筒形状物と異なり、狭い肛門Ｂ部分を容易に通過させることができる。
【００２６】
すなわち、前立腺マッサージ器具１は、長尺の帯板を二次元に折り曲げているだけであるため、往路部１０と復路部２０とが最も離れた部分であっても、前立腺マッサージ器具１の幅方向の最大幅は帯板の表面に平行な方向では帯板の幅に過ぎない。よって、幅方向全方位において最大幅となる従来の円筒形と比較すれば、肛門Ｂ部分を容易に通過させることができる。
【００２７】
また、本実施形態では、往路部１０と復路部２０とが最も離れた帯板先端３８では、両者が3cm程度離れており、前立腺マッサージ器具１の幅（帯板の表面に鉛直な方向の幅）が3cm程度となるが、帯板を曲げた構造物はある程度弾性変形可能であり、肛門Ｂ通過時には帯板先端３８が往路部１０へと近付いて、前立腺マッサージ器具１の幅が少し細くなって通りやすくなる。
【００２８】
また、帯板先端３８が肛門Ｂを通過すれば、復路部２０が全て直腸Ａ内に位置し、往路部１０のみ、すなわち一本の帯板のみが肛門Ｂを通過すれば良いため、前立腺マッサージ器具１を容易に直腸Ａ内に挿入することができる。
【００２９】
また、復路部２０の根元側端部である帯板先端３８が往路部１０から3cm程度離れてフリーとなっているため、肛門Ｂからの直腸Ａ内への挿入を器具先端３５からではなく、帯板先端３８から行い（図４参照）、帯板に沿って前立腺マッサージ器具１の姿勢を回転させながら帯板根元端３９に向けて復路部２０及び往路部１０を同時ではなく順次直腸Ａ内に挿入することも可能である。
【００３０】
このように、前立腺マッサージ器具１の姿勢を回転させながら、帯板先端３８から復路部２０、往路部１０へと一本の帯板が順次肛門Ｂを通過するようにすれば、前立腺マッサージ器具１の器具先端３５から往路部１０と復路部２０とを同時に肛門Ｂを通過させて挿入する場合と比べて、肛門Ｂを通過する部分の外径が大幅に小さくなり、前立腺マッサージ器具１を容易に直腸Ａ内に挿入することができる。
【００３１】
前立腺マッサージ器具１を直腸Ａ内の奥へと挿入し、誤進入防止部３０が肛門Ｂに到達すると、誤進入防止部３０が引っ掛かってそれ以上挿入できないため、挿入を止める。続いて、前立腺マッサージ器具１が直腸Ａ内で適切な位置で適切な姿勢となるように、長手方向軸回りに回動させたり、傾けたりする。この姿勢等の調整は、使用者が肛門Ｂの外に出ている誤進入防止部３０を摘まんで簡単に行うことができる。
【００３２】
前立腺マッサージ器具１の望ましい挿入位置・姿勢としては、図３に示すように、第一凸部１１が前立腺Ｄに対向するように調整する。このような挿入状態では、往路部１０が前立腺Ｄ近傍の直腸Ａ壁内面に接触すると共に、復路部２０が前立腺Ｄと反対側の直腸Ａ壁内面に接触し、直腸Ａを押し広げている。
【００３３】
この状態で、使用者が誤進入防止部３０を摘まんだり、肛門括約筋Ｃを収縮させたりして前立腺マッサージ器具１を動かせば、第一凸部１１が直腸Ａ壁を介して前立腺Ｄに接触し、良好に前立腺マッサージを行うことができる。
【００３４】
また、図３に示す挿入状態では、第二凸部１３が直腸Ａ壁を介して精嚢Ｅに対向する位置に位置しており、前立腺マッサージ器具１を動かすことで、精嚢Ｅを刺激することも可能である。
【００３５】
もちろん、前立腺マッサージ器具１の挿入状態は適宜変更可能であり、第一凸部１１以外の部分で前立腺Ｄをマッサージするようにしても良い。
【００３６】
直腸Ａ内に挿入した前立腺マッサージ器具１を取り出す際には、使用者が誤進入防止部３０を摘まんで引っ張ることで、容易に取り出すことができる。このとき、復路部２０の帯板先端３８が肛門Ｂの周囲に引っ掛かって、第二凸部１３の径が膨らむように変形して取り出し難くなってしまった場合には、前立腺マッサージ器具１を回転させて帯板先端３８が肛門Ｂから最後に出るようにする（図４参照）ことで、容易に取り出すことができる。
【００３７】
ここで、本実施形態に係る前立腺マッサージ器具１は、摘便器具として使うことができる。直腸Ａ内に挿入した前立腺マッサージ器具１の往路部１０と復路部２０とで囲まれた領域内に便が入れば、前立腺マッサージ器具１を直腸Ａ内から抜き出すことで、便を肛門から掻き出すことができる。
【００３８】
・変形例１
続いて、第一実施形態の変形例１について、図５を参照しながら説明する。図５は、変形例１に係る前立腺マッサージ器具１'の正面図である。本変形例１では、第一凸部１１'のみを有すると共に、誤進入防止部３０'が、さらに第二の帯板片３２を有する点が上記第一実施形態と異なる。よって、ここでは、上記実施形態と異なる点を中心に説明する。
【００３９】
前立腺マッサージ器具１'は、往路部１０'、復路部２０'及び誤進入防止部３０'を備え、全長は約9cmである。往路部１０'は、第一凸部１１'を備える。
【００４０】
また、本変形例１では、誤進入防止部３０'は、帯板の帯板根元端３９を曲げた部分の根元側表面に、この曲げ方向と反対側にも延在する別の第二の帯板片３２が貼り付けられている。よって、前立腺マッサージ器具１'の長手方向に延在する往路部１０'と、幅方向に延在する誤進入防止部３０'とは、略Ｔ字形に連結されている。
【００４１】
本変形例１によれば、上記第一実施形態の作用効果に加えて、全長が短く小型なため、取り扱いが容易であり、直腸からの前立腺マッサージに慣れていない人でも手軽に利用することができる。また、誤進入防止部３０'が往路部１０'から幅方向両側に延在しているため、誤進入防止部３０'の直腸内への侵入を確実に防止することができる。
【００４２】
・変形例２
続いて、第一実施形態の変形例２について、図６及び図７を参照しながら説明する。上記第一実施形態では、前立腺マッサージ器具１は帯板を二次元に折り曲げた構造であったが、本変形例２に係る前立腺マッサージ器具１''は、帯板を三次元に折り曲げた構造であることを特徴とする。
【００４３】
図６及び図７に示すように、前立腺マッサージ器具１''の第一凸部１１''よりも帯板の先端側は、正面図において手前側に曲がっており、全体として三次元に折り曲げられている。
【００４４】
図７に示す前立腺マッサージ器具１''の側面図は、前立腺マッサージ器具１''を直腸内にした挿入した状態で人体の後側から見た状態を示している。このように、本変形例２に前立腺マッサージ器具１''を直腸内に挿入すると、第二凸部１３''が人体の左側斜め上方に向けて曲がった場所に位置することになる。
【００４５】
ここで、精嚢Ｅは前立腺の両側斜め上方の2箇所に存在しているため、第二凸部１３''が斜め上方に位置することで、精嚢をより確実に刺激することが可能となる。
【００４６】
・変形例３
続いて、第一実施形態の変形例３について、図８及び図９を参照しながら説明する。本変形例３に係る前立腺マッサージ器具１'''は、上記変形例３と同様に、帯板を三次元に折り曲げた構造であることを特徴とする。
【００４７】
図８及び図９に示すように、前立腺マッサージ器具１'''の復路部２０'''が長手方向には僅かに延在するだけであり、帯板の表面に直交する幅方向に大きく延在している。
【００４８】
本変形例３においても、上記変形例２と同様に、第二凸部１３'''が人体の斜め上方（右側）に向けて曲がった場所に位置しており（図９参照）、精嚢をより確実に刺激することが可能となる。
【００４９】
（第二実施形態）
次に、本発明の第二実施形態について説明する。第二実施形態に係る前立腺マッサージ器具２は、図１０及び図１１に示すように、長尺の帯板を折り曲げた構造であり、往路部６０と、復路部７０と、誤進入防止部８０とを備えている。
【００５０】
第二実施形態では、帯板先端８８が器具根元端８６までＵターンしており、往路部６０と復路部７０の長手方向の長さが略同じであることを特徴とするため、上記第一実施形態と異なる点を中心に説明する。
【００５１】
往路部６０は、器具根元端８６から器具先端８５まで長手方向に延在する帯板部分であり、復路部７０は、器具先端８５から器具根元端８６まで折り返されて延在する帯板部分である。なお、器具根元端８６近傍において、往路部６０と復路部７０とが連結固定されている。
【００５２】
往路部６０は、器具根元端８６から先端側に所定の長さ離れた位置に、帯板が外側に膨らんだ第一凸部６１を備え、第一凸部６１からさらに先端側に所定の長さ離れた位置に、同じく帯板が外側に膨らんだ第二凸部６３を備えている。第一実施形態と同様に、第二凸部６３は、往路部６０と復路部７０の境界に位置する。
【００５３】
誤進入防止部８０は、帯板の帯板根元端８９と帯板先端８８とを長手方向に対してそれぞれ外側に略直角に曲げて構成されており、本実施形態では、器具根元端８６において幅方向両側に延在している。
【００５４】
このような構成の前立腺マッサージ器具２は、上記第一実施形態と同様に直腸内に挿入され、第一凸部６１が前立腺に対向する位置となるように設置して使用される。
【００５５】
第二実施形態によれば、上記第一実施形態と同様の作用効果を奏すると共に、復路部７０が器具根元端８６までＵターンして往路部６０に連結固定されているため、構造上頑丈となり、初心者であっても安心して使用することができる。
【００５６】
また、本実施形態では、復路部７０の根元側の端部が往路部６０に連結固定され、往路部６０及び復路部７０によって囲まれる空間が閉じている。よって、本実施形態では、第一実施形態のように、挿入時の肛門通過の際に前立腺マッサージ器具１を回転させながら帯板先端３８から復路部２０及び往路部１０と順番に肛門を通過させることはできない。
【００５７】
しかし、第二実施形態に係る前立腺マッサージ器具２は、帯板を二次元に折り曲げているだけであるため、往路部１０と復路部２０とが最も離れた部分であっても、前立腺マッサージ器具２の幅方向の最大幅は帯板の表面に平行な方向では帯板の幅に過ぎない。よって、幅方向全方位において最大幅となる従来の円筒形と比較すれば、肛門部分を容易に通過させることができる。
【００５８】
・変形例４
続いて、第二実施形態の変形例４について、図１２を参照しながら説明する。変形例４に係る前立腺マッサージ器具２'では、復路部７０'が器具根元端８６までＵターンしておらず、往路部６０の長手方向真ん中付近までしか折り返されていない点が上記第二実施形態と異なる。よって、ここでは、上記第二実施形態と異なる点を中心に説明する。
【００５９】
復路部７０'の根元側の先端である帯板先端８８は、往路部６０'に連結固定されている。本変形例４によれば、上記第二実施形態と同様の作用効果を奏する。
【００６０】
以上、変形例も含めて本発明の実施形態について説明したが、本発明の実施の形態は、上記実施形態に限定されるものではなく、本発明の主旨を逸脱しない範囲内で種々の変形が可能である。例えば、前立腺マッサージ器具の材料や形状、サイズ等は適宜変更可能である。
【００６１】
また、上記実施形態では、帯板の器具先端から根元側に折り曲げられた帯板先端までの部分である復路部の長さが短いものから往路部と同じ長さのものまであるが、復路部の長さ等は適宜調整可能である。
【００６２】
但し、直腸内において、復路部と往路部とがそれぞれ相対する直腸内壁面に接触して突っ張ることで直腸を広げ、直腸壁越しに前立腺に接触してマッサージを良好に行うためには、帯板先端が根元側に戻る方向に100°以上折り曲がっているのが望ましい。
【００６３】
また、上記第一実施形態では、復路部の下端の帯板先端が往路部から3cm以上離れ、往路部と復路部により囲まれる空間が開口しており、これにより、帯板の延在方向に沿って往路部及び復路部を順次肛門に通すことができるが、この帯板先端と往路部との間隔は2cm以上離れていれば良い。
【００６４】
前立腺マッサージ器具を肛門から出し入れする際には、肛門の周囲に位置する内外肛門括約筋がこの開口部分に嵌まる必要があるため、前立腺マッサージ器具の変形を考慮しても2cm以上離れているのが望ましい。
【００６５】
また、上記実施形態では、幅方向における往路部と復路部との距離は、0〜3cm程度であるが、前立腺マッサージ器具の長手方向において両者が最も離れた部分において、両者の距離は2cm以上、さらに望ましくは3cm以上離れているのが望ましい。
【００６６】
なぜなら、前立腺マッサージ器具の一部が直腸壁越しに前立腺に良好に接触するためには、往路部及び復路部がそれぞれ対向する直腸壁に接触して広げる方向に直腸壁を押す状態であるのが望ましいからである。
【符号の説明】
【００６７】
１，２      前立腺マッサージ器具
１０，６０  往路部
１１，６１  第一凸部
１３，６３  第二凸部
２０，７０  復路部
３０，８０  誤進入防止部
３２        第二の帯板片
３５，８５  器具先端
３６，８６  器具根元端
３８，８８  帯板先端
３９，８９  帯板根元端
４０        針金
Ａ          直腸
Ｂ          肛門
Ｃ          肛門括約筋
Ｄ          前立腺
Ｅ          精嚢
【図１】
2020054498.tif 000003
【図２】
2020054498.tif 000004
【図３】
2020054498.tif 000005
【図４】
2020054498.tif 000006
【図５】
2020054498.tif 000007
【図６】
2020054498.tif 000008
【図７】
2020054498.tif 000009
【図８】
2020054498.tif 000010
【図９】
2020054498.tif 000011
【図１０】
2020054498.tif 000012
【図１１】
2020054498.tif 000013
【図１２】
2020054498.tif 000014